(57)【特許請求の範囲】
【請求項１】
第１のセルがいつスリープモードに移行するのかを自動的に判断するセルラ無線ネットワークにおける方法であって、前記方法は、
前記第１のセルがスリープモードに移行したときに、第２のセルのセットの結果として得られるエネルギー消費を判断する工程（４０３）と、
前記判断される結果として得られるエネルギー消費に基づいて、前記第１のセルがスリープモードに移行するのを許可する工程（４０１）とを有し、
前記第２のセルのセットのエネルギー消費は測定履歴に基づいて判断されることを特徴とする方法。
【請求項２】
前記第１のセルと前記第２のセルのセットとのエネルギー消費の総量が、前記第１のセルがスリープモードに移行する場合に削減されると判断されたなら、前記第１のセルがスリープモードに移行することが許可されることを特徴とする請求項１に記載の方法。
【請求項３】
前記第１のセルによりサービスを受けるユーザ機器の負荷とチャネル品質とに基づいて、前記第２のセルのセットのエネルギー消費が判断されることを特徴とする請求項１又は２に記載の方法。
【請求項４】
前記第２のセルのセットは、前記第１のセルがスリープモードに移行することにより影響を受ける全てのセルを含むことを特徴とする請求項１乃至３のいずれか１項に記載の方法。
【請求項５】
第１のセルがいつスリープモードに移行するのかを自動的に判断するセルラ無線ネットワークにおける方法であって、前記方法は、
前記第１のセルがスリープモードに移行したときに、第２のセルのセットの結果として得られるエネルギー消費を判断する工程（４０３）と、
前記判断される結果として得られるエネルギー消費に基づいて、前記第１のセルがスリープモードに移行するのを許可する工程（４０１）とを有し、
２つ以上の第１のセルがスリープモードに移行することが許可される場合、前記２つ以上の第１のセルは、エネルギー削減が最大のセルからエネルギー削減が最小のセルまで降順にスリープモードに移行することが許可されることを特徴とする方法。
【請求項６】
第１のセルがいつスリープモードに移行するのかを自動的に判断する、セルラ無線ネットワークにおいて用いられる装置であって、前記装置は、
前記第１のセルがスリープモードに移行したときに、第２のセルのセットの結果として得られるエネルギー消費を判断する手段（３０２）と、
前記判断される結果として得られるエネルギー消費に基づいて、前記第１のセルがスリープモードに移行するのを許可する手段（３０２）とを有し、
前記装置は、前記第２のセルのセットのエネルギー消費を測定履歴に基づいて判断するよう構成されていることを特徴とする装置。
【請求項７】
前記装置は、前記第１のセルと前記第２のセルのセットとのエネルギー消費の総量が、前記第１のセルがスリープモードに移行する場合に削減されると判断されたなら、前記第１のセルがスリープモードに移行することを許可するよう構成されていることを特徴とする請求項６に記載の装置。
【請求項８】
前記装置は、前記第１のセルによりサービスを受けるユーザ機器の負荷とチャネル品質とに基づいて、前記第２のセルのセットのエネルギー消費を判断するよう構成されていることを特徴とする請求項６又は７に記載の装置。
【請求項９】
前記第２のセルのセットは、前記第１のセルがスリープモードに移行することにより影響を受ける全てのセルを含むことを特徴とする請求項６乃至８のいずれか１項に記載の装置。
【請求項１０】
第１のセルがいつスリープモードに移行するのかを自動的に判断する、セルラ無線ネットワークにおいて用いられる装置であって、前記装置は、
前記第１のセルがスリープモードに移行したときに、第２のセルのセットの結果として得られるエネルギー消費を判断する手段（３０２）と、
前記判断される結果として得られるエネルギー消費に基づいて、前記第１のセルがスリープモードに移行するのを許可する手段（３０２）とを有し、
前記装置は、２つ以上の第１のセルがスリープモードに移行することが許可される場合、前記２つ以上の第１のセルを、エネルギー削減が最大のセルからエネルギー削減が最小のセルまで降順にスリープモードに移行することを許可するよう構成されていることを特徴とする装置。
【発明の詳細な説明】
【技術分野】
【０００１】
本発明はセルラ無線システム用の電力削減方法及び装置に関する。
【背景技術】
【０００２】
エネルギー効率は無線通信システムの重要な特徴である。多くの解決策があり、それらはプロトコル、アルゴリズム、ハードウェアなどに見出される。通常、無線ネットワークにおけるトラフィック負荷は変化する。即ち、資源の利用は夜（通常は低く）と昼（通常は高い）との間で変動する。夜間には、空きの容量が無線ネットワークで用いられないまま運用される。例えば、午後１０時から午前４時までの間のようなトラフィックが低い時間帯には一部の無線資源を停止させることも１つのアプローチである。
【０００３】
しかしながら、従来の無線通信システムではエネルギー効率を念頭において具体的に構築されている訳ではないので、多くの解決策はしばしば、ひどく雑なものであった。例えば、送信から受信まで完全にセルを停止する（不連続送信）ことが可能であるだけかもしれない。このアプローチを用いると、その結果、カバレッジを喪失してしまう。なぜなら、そのセルがダウンするので容量が失われてしまうからである。その結果、セル送信を停止後にサービスを受けていた領域においても無線カバレッジがあることが最初に検証されねばならない。
【発明の概要】
【発明が解決しようとする課題】
【０００４】
エネルギー効率がますます重要になってきているので、そして、エネルギー効率のより良い無線システムに対する要求があるので、無線システムにおけるエネルギーの効率的な管理を提供する方法及びシステムの必要がある。
【課題を解決するための手段】
【０００５】
本発明の目的は、上述したことの関係する問題のいくつかを克服するか、或いは、少なくとも低減することにある。
【０００６】
本発明の別の目的は、セルラ無線システムにおいて自動的にエネルギー消費を最適化するために動作する方法及び装置を提供することにある。
【０００７】
上述の目的の内の少なくとも１つは、添付した請求の範囲に説明された方法及び装置により達成される。従って、１つ以上のセルがスリープモードに移行することが許可されるなら、その結果として得られるエネルギー消費を現在のエネルギー消費と自動的に比較することにより、セルラ無線システムにおけるエネルギー消費を継続的に最適化することが可能なシステムが得られる。
【０００８】
１実施例によれば、第１のセルがいつスリープモードに移行するのかを自動的に判断するセルラ無線ネットワークにおける方法が備えられる。その方法によれば、まず、前記第１のセルがスリープモードに移行したときに、第２のセルのセットの結果として得られるエネルギー消費が判断され、それから、その判断される結果として得られるエネルギー消費に基づいて、前記第１のセルがスリープモードに移行することが許可される。これにより、スリープモードに移行することが許可されるセルのセットは、実際に全体的な電力消費を削減するときに複数のセルだけがスリープモードに移行することを許可するように制御される。１実施例では、複数の第２のセルのセットはスリープモードに移行する第１のセルにより影響を受ける全てのセルを含む。
【０００９】
１実施例によれば、前記第１のセルと前記第２のセルのセットとのエネルギー消費の総量が前記第１のセルがスリープモードに移行する場合に削減されると判断されたなら、前記第１のセルがスリープモードに移行することが許可される。
【００１０】
１実施例によれば、前記第１のセルによりサービスを受けるユーザ機器の負荷とチャネル品質とに基づいて、前記第２のセルのセットのエネルギー消費が判断される。
【００１１】
１実施例によれば、前記第２のセルのセットのエネルギー消費は測定履歴に基づいて判断される。
【００１２】
１実施例によれば、２つ以上の第１のセルがスリープモードに移行することが許可される場合、これら２つ以上の第１のセルは、エネルギー削減が最大のセルからエネルギー削減が最小のセルまで降順にスリープモードに移行することが許可される。
【００１３】
本発明はまた、上記事項に従う方法を実施するように構成された装置にまで拡張するものである。
【００１４】
次に、本発明について、非限定的な例と添付図面とを参照して、より詳細に説明する。
【図面の簡単な説明】
【００１５】
【図１】セルラ無線システムの管理システムを例示した図である。
【図２】セルの負荷に関係した電力消費を例示した図である。
【図３】セルラ無線システムにおけるエネルギー消費を最適化するシステムを示す図である。
【図４】セルラ無線システムにおけるエネルギー消費を最適化する場合に実行されるいくつかの手順のステップを示すフローチャートである。
【図５】、
【図６】セルラ無線システムの複数のセルにおけるエネルギー消費を示す図である。
【図７】ＳＩＮＲ−スペクトラム効率の曲線を描いた図である。
【発明を実施するための形態】
【００１６】
本発明に従えば、カバレッジ要求情報が決定される。その決定されたカバレッジ要求はまた、カバレッジに決定された領域に存在する関係する無線アクセス技術も考慮することができる。そのような情報は、特定の第１のセルについて、その第１のセルの全サービス領域にわたるカバレッジを提供する第２のセルのセットを記述している。また、そのサービス領域のある程度まで部分的なカバレッジを考慮することも可能である。カバレッジ要求情報は、例えば、国際特許出願ＰＣＴ／ＳＥ２００９／０５１００８に記載されているように決定される。
【００１７】
この情報は、例えば、全ての考慮されるセルに関して、スリープモードにあることが可能な全てのセルを含むカバレッジ要求マトリクスとしてデータベースに格納される。以下に代表的なマトリクスを示す。即ち、
Ｄ［１  １  ０  ０］
Ａ  Ｂ  Ｃ  Ｄ
である。
【００１８】
上記の代表的なマトリクスの場合には、セルＤだけがスリープモードになれる。対応する行は、カバレッジを損なうことなく、セルＤがスリープモードになれるために、アクティブモードにある必要がある他のセルを示している。この例では、セルＡとＢが、カバレッジを失うリスクを冒すことなく、セルＤがスリープモードに移行することができるためにアクティブである必要がある。
【００１９】
カバレッジ要求情報を生成するための１つの代表的な手順は、サービス領域についてのパス利得或いは受信信号強度情報に基いており、それらはおそらくは局部的に集中した複数の移動局によりレポートされるか、或いは、セル計画ツールにより準備される。その情報は、アップリンクのカバレッジとダウンリンクのカバレッジで分離することができる。もし、第１のセルのサービス領域がある割合のレベルで複数の第２のセルのセットによりカバーされているなら、そのサービス領域は、たとえ第１のセルがスリープモードにあってもカバーされる。
【００２０】
図１には代表的な管理システムが描写されている。ｅノードＢとして言及されるノード要素（ＮＥ）が、運用サポートシステム（ＯＳＳ）としても言及されるドメインマネージャ（ＤＭ）により管理されている。ＤＭはさらに、ネットワークマネージャ（ＮＭ）により管理されても良い。２つのＮＥはＸ２インタフェースにより互いに接続される一方、２つのＤＭの間のインタフェースはＩｔｆ−Ｐ２Ｐインタフェースとして言及される。
【００２１】
本発明に従って、もし第１のセルがスリープモードに移行する場合にカバレッジを危険にさらすことを回避するために複数の第２のセルのどのセットがアクティブである必要があるのかについての情報を提供するカバレッジ情報が、例えば、ＵＥ測定により取得される。カバレッジが複数の第２のセルにより保証されると仮定するなら、その時には、第１のセルをスリープモードに置くことが明らかに複数の第２のセルにおける負荷が増大し、従って、複数の第２のセルのエネルギー消費が増大するという結果を招くことになる。その動作が、例えば、エネルギーを節約するために第１のセルを不連続送信（ＤＴＸ）モードに置くことにより、第１のセルをスリープモードに置くためには、複数の第２のセルにおけるエネルギー消費の増加が、第１のセルにおける削減よりも小さいことが必要である。
【００２２】
図２にはセルの負荷の関数として無線基地局の典型的なエネルギー消費曲線が描かれている。基地局におけるエネルギー消費は通常、負荷が零でもゼロではなく、基地局における負荷が増大するにつれて非線形に増加する。負荷が零におけるエネルギー消費は固定経費として言及され、それは基地局のタイプに依存して変化するものである。さらに、エネルギー消費曲線の傾きや形状は、基地局に依存して変化するかもしれない。
【００２３】
本発明に従えば、第１のセルがスリープモードに置かれることが許される条件をスリープモード移行基準が決定する。従って、複数の第２のセルのエネルギー消費の総量が、（第１のセルが動作中の場合に）第１のセルと複数の第２のセルのエネルギー消費の総量よりも少ない場合に、第１のセルをスリープモードに置くことができる。それは結果的にシステムにおける全体的なエネルギー節約になるであろう。
【００２４】
エネルギー節約がなされることを決定するために、カギとなる特性がシステムにより分析される。１実施例に従えば、第１のセルと複数の第２のセルのトラフィック負荷とエネルギー消費とが判断される。第１のセルと複数の第２のセルのトラフィック負荷とエネルギー消費とに基いて、第１のセルがスリープモードに置かれる場合には、複数の第２のセルの結果としてもたらされる付加的なエネルギー消費量が決定される。もし、第１のセルにおける電力削減と複数の第２のセルにおける電力の付加的な増加との差、或いは、第１のセルにおける電力削減に対する複数の第２のセルにおける電力の付加的な増加の比が予め定義された閾値未満であれば、システムは第１のセルがスリープモードに移行することを許可するように構成される。特に、第２のセルにおける増加が第１のセルにおける減少よりも少ないと判断されるなら、そのシステムは第１のセルがスリープモードに移行することを許可するように構成される。
【００２５】
図３には、異なるエンティティとそのようなエンティティのシステム内における情報のシグナリングの論理的な概要が描かれている。図３におけるシステムは、ここで説明する処理に従って、セルがスリープモード／ＤＴＸモードに移行することを許可することを自動的に決定するために用いられる。
【００２６】
図３は、エネルギー最適化器３０１を描いている。それは通常、エネルギー最適化器３０１のメモリ３０４に格納されたソフトウェア命令のセットで動作するマイクロコントローラ３０２を用いて実装される。そのエネルギー最適化器は、例えば、図１で描写した無線システムのような無線システムのネットワーク構成要素、或いは、ドメインマネージャ、或いは、何か他の適切なノードのような、無線システムの何らかの適切なネットワークノードに設置される。エネルギー最適化器３０１は、カバレッジ要求及びパス損失情報データベース３０３とトラフィック負荷推定器３０５とエネルギー消費量推定器３０７とからの情報を受信する。カバレッジ要求及びパス損失情報データベース３０３は通常、無線ネットワークが所与の時間に成し遂げる必要のある最新の観点からの現在の要求を提供する。トラフィック負荷推定器３０５は、無線システムの全体或いは一部についての現在のトラフィック負荷推定を生成する。特に、そのトラフィック負荷はセル毎（或いはサイト毎）に推定される。エネルギー消費量推定器３０７は、無線システム内における電力消費、特に、各セル（或いはサイト）についての電力消費の推定値を提供する。これらのエンティティ３０３、３０５、３０７からの情報に基いて、エネルギー最適化器は、そのネットワーク内の電力消費を最適化する（最小化する）とともに同時にサービスレベルを維持するためにアクティブであることが許される複数のセルの最適なセットを示す出力を計算する。その出力は、例えば、ＤＴＸモードコントローラ３０９に提供され、ＤＴＸモードコントローラ３０９は次に、エネルギー最適化器３０１から受信した結果に基いて、ＤＴＸモードにおかれることになる複数のセル（サイト）を選択する。ＤＴＸモードコントローラは、例えば、メモリ３１３に格納されたコンピュータプログラム命令セットで動作するマイクロコントローラ或いはマイクロプロセッサ３１１を用いて実装される。
【００２７】
１実施例に従えば、カバレッジ要求及びパス損失情報が用いられてふさわしい第１のセルのセット、即ち、スリープモードとなる候補となるセルを見出す。他のセルによりカバーされないセルは考慮されない。エネルギー最適化器３０１はそれから、第１のセルの候補のセットを選択し、ネットワークのエネルギー消費と負荷を評価する。これは、エネルギー消費量推定器とトラフィック負荷推定器とによりなされる。エネルギー最適化器はそれから、第１のセルの候補の他のセットを選択し、これにそのエネルギー消費の新しい推定が続く。このサイクルは、結果として最低のエネルギー消費となる第１のセルのセットに到達するまで続く。複数の第１のセルのいずれの組合せも評価されることは明白である。説明を簡単にするため、ここでは、ただ１つの第１のセルがある場合について説明する。もちろん、このことは、複数の第１のセルのいずれかのセット（第１のセルの数＞１）を含むように一般化される。
【００２８】
図４には、セルがスリープモードに移行することを自動的に許可することを判断する場合に実行するいくつかの手順のステップを示したフローチャートが描かれている。まず、ステップ４０１では、１つのセルがスリープモードにおかれた場合に結果としてのシステムのエネルギー消費の基礎とするための情報が収集される。その情報は、例えば、第１のセルがスリープモードに移行した場合に、第１のセルと影響を受ける複数の第２のセルのセットのトラフィック負荷とエネルギー消費との内の少なくともいずれかで良い。第１のセルと複数の第２のセルとに関係した収集された情報に基いて、第１のセルがスリープモードにおかれた場合の結果における複数の第２のセルの付加的なエネルギー消費がステップ４０３において判断される。複数の第２のセルのセットにおける判断された結果的なエネルギー消費に基いて、第１のセルはスリープモードに移行することが許可される。例えば、第１のセルにおける電力削減と複数の第２のセルにおける電力の付加的な増加との差、或いは、第１のセルにおける電力削減に対する複数の第２のセルにおける電力の付加的な増加の比が予め定義された閾値未満であれば、システムは第１のセルがスリープモードに移行することを許可するように構成される。特に、第２のセルにおける増加が第１のセルにおける減少よりも少ないと判断されるなら、そのシステムは第１のセルがスリープモードに移行することを許可するように構成される。
【００２９】
以下、いくつかの可能性のある実施形の詳細な例について説明する。
【００３０】
エネルギー消費量推定の例
エネルギー消費量推定は、第１のセルがスリープモードにおかれる場合における複数の第２のセルのエネルギー消費の総量を決定する。ここで、
・ＰFは第１のセルＦのエネルギー消費量、
・ＰSは第１のセルＦが動作中の場合における複数の第２のセルのエネルギー消費量、
・Ｐ'Sは第１のセルＦがスリープモードにある場合の複数の第２のセルのエネルギー消費量
である。
【００３１】
そのような実施例が図５と図６に描かれている。
【００３２】
図５において、実線は、第１のセルが動作中の場合における第１のセルと第２のセルのエネルギー消費量を示している。破線は、第１のセルがスリープモードにある場合の第２のセルのエネルギー消費量を示している。負荷とエネルギー消費における増大は、第２のセルが第１のセルからのトラフィックを引き継いだことの結果である。この場合、Ｐ'S＜ＰS＋ＰFであり、第１のセルがスリープモードに置かれることには益がある。
【００３３】
図６において、実線は、第１のセルが動作中の場合における第１のセルと第２のセルのエネルギー消費量を示している。破線は、第１のセルがスリープモードにある場合の第２のセルのエネルギー消費量を示している。Ｐ'S＜ＰS＋ＰFである場合、それ自体では、第１のセルがスリープモードに置かれることには益はない。
【００３４】
同様に、Ｌがセルにおける負荷を表わすとする。第１のセルがスリープモードにおかれた場合に複数の第２のセルのエネルギー消費量の変化、即ち、Ｐ'Sの変化を推定するための１つの方法は、複数の第２のセルの負荷、即ち、Ｌ'Sの変化を推定することである。このことは多くの異なる方法でなされる。その内の２つについて、予測と測定履歴を用いて、以下に説明する。
【００３５】
予測
予測は、第１のセルがスリープモードに置かれた場合に、複数の第２のセルに対する付加的な負荷を与えるべきである。このことは、次のこと、即ち、
・第１のセルにおけるトラフィック要求、
・第１のセルにある複数のＵＥから複数の第２のセルへのチャネル品質、例えば、パス損失
を考慮することによりなされる。
【００３６】
明らかに、第１のセルにおけるトラフィック要求が増加するときに、その結果は、複数の第２のセルに適用される負荷の増加である。複数の第２のセルに対するチャネル品質を利用することにより、
・第１のセルの複数のＵＥとそれらの負荷要求［ビット／秒］とを複数の第２のセルの間で分割することを決定し、
・第１のセルにより以前にサービスを受けていた複数のＵＥ（以下、“ＵＥｓ”として言及）のスペクトラム効率［ビット／Ｈｚ］を導出できる。
【００３７】
複数の第２のセル間での負荷分割
このステップでは、第１のセルで要求された負荷を複数の第２のセルの間で分割する。要求された負荷の複数の第２のセルでの分割は、第１のセルのＵＥｓの２番目に最良のサーバを考慮することによりなされる。この情報は、第１のセルが動作中の場合に通常の動作中にシステムにより収集され、次のことにより例証される。第１のセルにあるＵＥｓの４０％、３５％、２５％が通常、２番目に最良のサービングセルであるセルＡ、セルＢ、セルＣにそれぞれレポートを行うと仮定する。この情報を用いて、システムは第１のセルにいるＵＥｓの４０％が第２のセルであるセルＡなどでサービスを受けるであろうと予測できる。従って、負荷分割は、レポートされた最良のサービングセルに基いて、システムにより決定される。
【００３８】
スペクトラム効率の導出
第１のセルにあるＵＥｓのスペクトラム効率の導出は、ＳＩＮＲを推定し、図７に示すＳＩＮＲ−スペクトラム効率曲線を用いることにより実行される。複数の第２のセルに対するＳＩＮＲはパス損失情報を用いて推定される。例えば、第１のセルがスリープモードにおかれると、２番目に最良のサーバ、即ち、第２のセルに対するパス損失は５ｄＢだけ増加する。このことは、ダウンリンクのＳＩＮＲにおける５ｄＢの劣化を示唆している。アップリンクにおいても、さらに、別のユーザ機器（ＵＥ）測定、例えば、電力余裕レポートを用いて、対応する方法が用いられる。ＳＩＮＲを推定すると、スペクトラム効率［ビット／Ｈｚ］が導出される。
【００３９】
スペクトラム効率が得られると、システムは複数の第２のセルにおける負荷、即ち、Ｌ'Sにおける増加を、第１のセルにいるＵＥｓのトラフィック要求を考慮して推定することができる。ＵＥｓが第１のセルにおいて受信していたスループットと同様のスループットを望んでいると仮定すると、システムは、上述したスペクトラム効率を利用することにより、平均的にスケジュールされるのが必要なバンド幅と、これにより、リソースブロックの数を計算することができる。平均的な意味でトータルなリソースブロック割当てを加算することにより、システムはＬ'Sを計算することができる。
【００４０】
負荷移転情報
上述のように、例えば、作業負荷の分散を決定し、スペクトラム効率を推定すると、システムは、第１のセルがスリープモードに置かれたとした場合に複数の第２のセルの負荷を導出することができる。この情報は、ＵＥの測定、例えば、動作中の作業負荷分散の変化に基いて、継続的に更新される。或いは、第１のセルをスリープモードにおくことの実際の結果に基いた、修正ファクタが負荷移転に導入されても良い。例えば、第２のセルの負荷がその推定値より１０％大きいなら、これが負荷移転の将来の推定のための結果を修正するのに用いられる。
【００４１】
エネルギー最適化器
エネルギー最適化器は、エネルギー消費量推定のブロックと負荷推定のブロックにタスクを与えるために構成される。その最適化器は、おそらくは良い結果を与えるセル−負荷が軽くなるセルを識別することでそのタスクを開始できる。１実施例に従えば、その最適化器は、一度にただ１つのセルを考慮するように構成される。そのような実施例では、第１のセル各々に対してエネルギー最適化器がＰ'Sを計算する。最大のＰS＋ＰF−Ｐ'Sを生成する第１のセルがスリープモードに移行するように最初に選択される。それから、２番目に最も大きいＰS＋ＰF−Ｐ'Sをもつ第１のセルがスリープモードに移行するように選択される。以下、同様である。その結果、複数のセルが、エネルギー削減が最大のセルからエネルギー削減が最小のセルまで降順にスリープモードに移行することが許可される。このことは、しかしながら、次善の解決策になるに過ぎない。最適なアプローチは、スリープ状態にある複数の第１のセルの全ての組合せに対してテストすることであろう。これはより大きな計算資源を必要とするという欠点がある。
【００４２】
もし、最適化器が第１のセルが複数の第２のセルによりカバーできない場合を考慮しないなら、即ち、カバレッジ情報を用いるなら利点がある。従って、１実施例に従えば、本当のネットワークからの結果が推定器にフィードバックされ、モデリングが更新されると良い。例えば、推定が一旦準備され、複数のセルがスリープモードに置かれると、情報が運用中のネットワークから収集されて、その推定値が現実の値と比較されるようにする。もし、その差が大きいなら、そのモデルを更新することは有益である。
【００４３】
ここで説明した方法と装置を用いることで、スリープモードに移行することに利点がある条件下で、関係する基地局のエネルギー消費が最小化され、過負荷やサービス品質（ＱｏＳ）の低下が回避されるように自動的な導出が提供されるであろう。
【図１】
0005607761.tif 000002
【図２】
0005607761.tif 000003
【図３】
0005607761.tif 000004
【図４】
0005607761.tif 000005
【図５】
0005607761.tif 000006
【図６】
0005607761.tif 000007
【図７】
0005607761.tif 000008